(57)【要約】      （修正有）【課題】主線と補助弾線とを異種材料で形成可能で、補助弾線に形状記憶合金の線材を用いることができ、持続して適度な矯正力を歯Ｔに加えることができる歯科矯正装置を提供する。【解決手段】歯科矯正装置１は、歯列に沿って配される主線２と、一端が主線２に固着されて、他端側で歯Ｔを押圧する補助弾線３とを備える。そして、補助弾線３の一端部が主線２の外周に螺旋状に巻回され、補助弾線３の一端部と主線２とが接着剤６により固着されている。【選択図】図１
0003161735.tif 000002
【実用新案登録請求の範囲】
【請求項１】
歯列に沿って配される主線と、
一端が前記主線に固着されて、他端側で歯を押圧する補助弾線とを備える歯科矯正装置であって、
前記補助弾線の一端部が前記主線の外周に螺旋状に巻回され、前記補助弾線の一端部と前記主線とが接着剤により固着されていることを特徴とする歯科矯正装置。
【請求項２】
歯列に沿って配される主線を備える歯科矯正装置に装着して用いる歯科矯正器具であって、
弾性線材により形成され、
一端部に螺旋状に形成されて前記主線に装着される装着部を有し、
前記装着部の他端側に、矯正対象の歯を押圧するために任意の形状に曲げられる押圧部を有し、
前記装着部が前記主線の外周を螺旋状に囲うように装着されて、接着剤により前記主線に固着されることを特徴とする歯科矯正器具。
【考案の詳細な説明】
【技術分野】
【０００１】
本考案は、歯を所望の方向に付勢して歯列を矯正する歯科矯正装置および歯科矯正器具に関する。
【背景技術】
【０００２】
従来より、歯科矯正装置１００として、図４に示すように、舌側弧線装置（ｌｉｎｇｕａｌ  ａｒｃｈ  ａｐｐｌｉａｎｃｅ）が知られている（非特許文献１参照）。
【０００３】
この歯科矯正装置１００は、歯列の舌側において、歯列に沿って配される主線１０１と、一端が主線１０１に固着されるとともに他端側で歯Ｔを押圧する補助弾線１０２とを備える。なお、主線１０１の両端は、維持装置１０３および維持バンド１０４によって例えば大臼歯に保持されている。
これにより、補助弾線１０２の弾性回復力によって歯Ｔを押圧することで歯Ｔを所望の方向に移動させ、歯列を矯正する。
【０００４】
従来の歯科矯正装置１００では、主線１０１と補助弾線１０２との固着はロウ材を用いたろう付けによってなされている。このため、ろう付けのしやすさの観点から、主線１０１と補助弾線１０２とは同種の金属により形成されていた。具体的には、主線１０１にはある程度の剛性が必要であるため、ステンレス合金やコバルトクロム合金の線材が用いられており、補助弾線１０２も主線１０１と同種の金属が用いられていた。
【０００５】
しかしながら、ステンレス合金やコバルトクロム合金の線材は、弾性率が高く、少しの変形でも大きな弾性回復力が発生するため、補助弾線１０２として使用すると、歯Ｔを押圧する力（矯正力）が大きくなりすぎてしまい、歯列矯正に伴う痛みが大きくなる可能性があった。なお、補助弾線１０２に曲げ変形箇所を多く含めることで矯正力を低減することができるが、この場合、補助弾線１０２の長さが長くなり、曲げる操作も複雑となるため、作業性が悪いという問題がある。
【０００６】
ところで、Ｎｉ−Ｔｉ合金線（形状記憶合金の線材の一例）は、変形量を大きくしても弾性回復力が大きくなることはなく、持続して適度な矯正力を加えることができる材料として知られている。このため、Ｎｉ−Ｔｉ合金線は補助弾線１０２の材料として好ましいといえる。
【０００７】
しかしながら、Ｎｉ−Ｔｉ合金線で補助弾線１０２を形成した場合、ステンレス合金やコバルトクロム合金の線材で形成された主線１０１に溶接することが困難である。ステンレス合金とＮｉ−Ｔｉ合金との溶接方法としては、プラズマ溶接あるいはレーザー溶接があるが、この溶接方法は高額な溶接装置が必要となり、通常の診療所内で用いるのに実際的ではない。このため、主線１０１に固着される補助弾線１０２の材料としてＮｉ−Ｔｉ合金線を用いることは困難であった。
【先行技術文献】
【非特許文献】
【０００８】
【非特許文献１】飯塚哲夫、横井欣弘著、「歯科技工士教本  矯正歯科技工学」、第１版第１１刷、医歯薬出版株式会社、２００５年１月２０日、ｐ．５３〜６２
【考案の概要】
【考案が解決しようとする課題】
【０００９】
本考案は、上記の問題点を解決するためになされたものであり、歯列に沿って配される主線と、一端が主線に固着されて、他端側で歯を押圧する補助弾線とを備える歯科矯正装置において、主線と補助弾線を異種材料で形成可能な歯科矯正装置、および、主線を有する様々な歯科矯正装置に主線の材料を気にすることなく装着でき、任意の歯を任意の位置、方向に動かすことのできる歯科矯正器具を提供することを目的とする。
【課題を解決するための手段】
【００１０】
〔請求項１の手段〕
請求項１に記載の歯科矯正装置は、歯列に沿って配される主線と、一端が主線に固着されて、他端側で歯を押圧する補助弾線とを備える。
補助弾線の一端部は主線の外周に螺旋状に巻回され、補助弾線の一端部と主線とが接着剤により固着されている。
【００１１】
これによれば、補助弾線と主線を異種金属で形成した場合でも、主線に補助弾線を安価で容易に固着することができる。
このため、補助弾線に形状記憶合金の線材を用いることができ、持続して適度な矯正力を加えることができる。
【００１２】
〔請求項２の手段〕
請求項２に記載の歯科矯正器具は、歯列に沿って配される主線を備える歯科矯正装置に装着して用いるものであって、弾性線材により形成され、一端部に螺旋状に形成されて主線に装着される装着部を有し、装着部の他端側に、矯正対象の歯を押圧するために任意の形状に曲げられる押圧部を有する。
そして、この歯科矯正器具は、装着部が主線の外周を螺旋状に囲うように装着されて、接着剤で装着部と主線とを接着することにより、主線に固着される。
【００１３】
この歯科矯正器具は、主線との固着が接着剤により行われるため、主線の材料に関係なく主線を有する様々な歯科矯正装置に対して装着することができる。そして、押圧部により任意の歯を任意の位置、方向に動かすことができる。
【図面の簡単な説明】
【００１４】
【図１】（ａ）は歯科矯正装置の平面説明図であり、（ｂ）は（ａ）の要部拡大図である（実施例１）。
【図２】（ａ）は補助弾線の側面図であり、（ｂ）は補助弾線の主線への装着、及び固着の様子を説明する図である（実施例１）。
【図３】ビムラーのアダプターに歯科矯正器具を装着した平面図である（実施例２）。
【図４】歯科矯正装置の平面説明図である（従来例）。
【考案を実施するための形態】
【００１５】
本考案を実施するための形態の歯科矯正装置は、歯列に沿って配される主線と、一端が主線に固着されて、他端側で歯を押圧する補助弾線とを備える。
補助弾線の一端部は主線の外周に螺旋状に巻回され、補助弾線の一端部と主線とが接着剤により固着されている。
【実施例】
【００１６】
〔実施例１の構成〕
実施例１の歯科矯正装置１の構成を、図１ないし図２を用いて説明する。
歯科矯正装置１は、いわゆる舌側弧線装置と呼ばれるもので、主線２と、補助弾線３と、維持装置４と、維持バンド５とを備える。
【００１７】
主線２は、ステンレス合金もしくはコバルトクロム合金の線材で形成されており、歯列の舌側で、歯列に沿って弓状に配される。
主線２の両端には、大臼歯に装着される維持バンド５と、維持バンド５と主線２を連結する維持装置４が設けられる。維持バンド５および維持装置４の構成は、従来（非特許文献１参照）用いられているものと同様である。
【００１８】
補助弾線３は、形状記憶合金の線材（例えば、Ｎｉ−Ｔｉ合金線）で形成されており、一端部が主線２の外周に螺旋状に巻回され、接着剤６によって主線２に固着されている（図１（ｂ）参照）。
接着剤６として、常温重合レジン、光重合レジン、グラスアイオノマーセメント等の歯科矯正用接着剤を用いている。本実施例では、安価で扱いやすい常温重合レジンを用いる。
【００１９】
補助弾線３において、主線２と接着した部分よりも他端側は、例えばＵ字状に曲げられて歯Ｔの舌側の面に弾性的に当接され、弾性回復力によって歯Ｔを押圧するようになっている（図１（ｂ）参照）。なお、図中の補助弾線３の曲げ形状は一例であって、補助弾線３は対象の歯Ｔの位置や移動させたい方向等によって様々な形状に曲げて使用される。
【００２０】
ここで、図２（ａ）を用いて、主線２に装着する前の補助弾線３の説明をする。
補助弾線３は主線２よりも細く、例えば主線２の直径が０．９ｍｍに対して、補助弾線３の直径は０．５ｍｍである。
補助弾線３は、一端部に、主線２に装着される装着部３１を有している。装着部３１は、補助弾線３の軸方向に平行な軸を回転軸として螺旋状に３回巻いたコイル管状に形成されており、その内径は主線２の外径よりも大きい。また、コイル素線間には、隙間３２が形成されている。
なお、本実施例では、装着部３１を螺旋状に３回巻いて形成しているが、巻く回数は、３回以下または３回より多くてもよい。ただし、強度や装着のしやすさの観点からは２〜４回が好ましい。
【００２１】
また、装着部３１よりも他端側は、矯正対象の歯Ｔを押圧するために任意の形状に曲げられる押圧部３３となっている。
【００２２】
以下で、補助弾線３の主線２への取り付け手順を説明する。
まず、装着部３１の一端のコイル素線間の隙間３２に主線２を入れ、補助弾線３を螺旋の中心軸周りに回すことで、装着部３１が主線２の外周に外装される（図２（ｂ）の手順１、手順２参照）。
ここで、装着部３１の内径は、主線２の外径よりも大きいため、装着部３１を主線２の軸方向に沿って自由に動かすことができる。
【００２３】
主線２上における装着部３１を配置する位置を決めたら、その位置で装着部３１の外周から接着剤６を筆等により塗布する（図２（ｂ）の手順３参照）。接着剤６は装着部３１のコイル素線間から主線２の外周面に流れ込み、接着剤６が固まることで、装着部３１と主線２とが固着される。
その後、押圧部３３を任意の形状に曲げる（図２（ｂ）の手順４参照）。なお、押圧部３３は、接着剤６を塗布する前に任意の形状に曲げてもよい。
【００２４】
〔実施例１の効果〕
実施例１の歯科矯正装置１によれば、補助弾線３の一端部が主線２の外周に螺旋状に巻回され、補助弾線３の一端部と主線２とが接着剤６により固着されている。
これにより、補助弾線３と主線２を異種金属で形成した場合でも、主線２に補助弾線３を容易に固着することができる。
【００２５】
このため、補助弾線３に形状記憶合金の線材を用いることができ、持続して適度な矯正力を加えることができる。
また、形状記憶合金の線材を用いる場合、ステンレス合金やコバルトクロム合金の線材の場合のように、曲げ変形箇所を多く含めなくても、矯正力が大きくなりすぎることはない。従って、補助弾線３の長さを短くできるとともに、曲げる操作が少なく済むため作業性がよくなる。
【００２６】
〔実施例２の構成〕
実施例２の歯科矯正器具１０の構成を、図２（ａ）、図３を用いて説明する。
歯科矯正器具１０は、歯列に沿って配される主線Ｍを備える歯科矯正装置Ａに装着して用いられるものであって、実施例１の補助弾線３と同様の構成を有している（図２（ａ）参照）。
【００２７】
すなわち、歯科矯正器具１０は、弾性線材（例えば、形状記憶合金の線材）により形成され、一端部に螺旋状に形成されて主線Ｍに装着される装着部３１を有し、装着部３１の他端側に、矯正対象の歯Ｔを押圧するために任意の形状に曲げられる押圧部３３を有する。
【００２８】
図３では、歯科矯正器具１０をビムラーのアダプター（飯塚哲夫、横井欣弘著、「歯科技工士教本  矯正歯科技工学」、第１版第１１刷、医歯薬出版株式会社、２００５年１月２０日、ｐ．６９参照）と呼ばれる可撤式矯正装置に装着した例を示す。
この歯科矯正装置Ａは、歯列の唇側と舌側にそれぞれ歯列に沿って配される主線Ｍが設けられており、主線Ｍはステンレス合金もしくはコバルトクロム合金により形成されている。図３は、ビムラーのアダプターの上顎側部を図示したもので、歯列の唇側に配される主線Ｍに歯科矯正器具１０を装着した例を示している。
【００２９】
この歯科矯正装置Ａによる矯正の最中に、一部の歯Ｔだけを特定の方向に動かして矯正したいという要求がある場合に、主線Ｍに歯科矯正器具１０を装着し、接着剤６により装着部３１を主線Ｍに固着して、患者が歯科矯正装置Ａを装着した際に押圧部３３が対象の歯Ｔを押圧するように押圧部３３の形状を整える。
【００３０】
この歯科矯正器具１０は、主線Ｍとの固着が接着剤により行われるため、主線Ｍの材料に関係なく主線Ｍを有する様々な歯科矯正装置Ａに対して装着することができる。そして、押圧部３３により任意の歯Ｔを任意の位置、方向に動かすことができる。
【００３１】
〔変形例〕
歯科矯正装置１および歯科矯正器具１０の態様は、実施例に限定されず、様々な変形例を考えることができる。
例えば、実施例１の歯科矯正装置１において、補助弾線３は一端部が予め螺旋状に巻回された装着部３１を有しており、主線２に装着部３１を装着するものであったが、最終的に補助弾線３の一端部が主線２の外周に螺旋状に巻回された状態となればよいため、一端部に変形が加えられていない補助弾線３を主線２の外周に螺旋状に巻きつけてもよい。
【００３２】
実施例２では、ビムラーのアダプターに歯科矯正器具１０を装着した例を説明したが、歯科矯正器具１０を装着できる歯科矯正装置はビムラーのアダプターに限らない。例えば、ビムラーのアダプター以外の機能的矯正装置（アクチバトール、バイオネータ等）や、床矯正装置（床拡大装置、咬合挙上板等）、舌側弧線装置にも装着できる。すなわち、歯列に沿って配される主線を有する歯科矯正装置であれば歯科矯正器具１０を装着することができる。
【符号の説明】
【００３３】
１    歯科矯正装置
２    主線
３    補助弾線
３１  装着部
３３  押圧部
６    接着剤
１０  歯科矯正器具
Ａ    歯科矯正装置
Ｍ    主線
Ｔ    歯
【図１】
0003161735.tif 000003
【図２】
0003161735.tif 000004
【図３】
0003161735.tif 000005
【図４】
0003161735.tif 000006